(57)【要約】【課題】ウォータハンマの発生を抑制すること。【解決手段】サイレンサ１８は、低温流体と上流側混合流体とを混合し、下流側混合流体を流出させる下流側混合部２１と、高温流体と下流側混合流体とを混合し、下流側混合部２１に向けて上流側混合流体を流出させる上流側混合部２２と、下流側混合部２１から流出した下流側混合流体を上流側混合部２２に流入させる戻し流路部２３とを備え、下流側混合部２１は、下流側混合流体の一部を外部に流出させる。【選択図】図１
2019039585.tif 000002
【特許請求の範囲】
【請求項１】
低温流体と上流側混合流体とを混合し、下流側混合流体を流出させる下流側混合部と、
高温流体と前記下流側混合流体とを混合し、前記下流側混合部に向けて前記上流側混合流体を流出させる上流側混合部と、
前記下流側混合部から流出した前記下流側混合流体を前記上流側混合部に流入させる戻し流路部とを備え、
前記下流側混合部は、前記下流側混合流体の一部を外部に流出させることを特徴とするサイレンサ。
【請求項２】
請求項１に記載のサイレンサにおいて、
前記高温流体は、ドレン又は該ドレンの再蒸発蒸気であることを特徴とするサイレンサ。
【請求項３】
請求項１又は２に記載のサイレンサにおいて、
前記上流側混合部は、エゼクタを含み、
前記エゼクタは、前記高温流体で駆動し、前記下流側混合流体を吸引することを特徴とするサイレンサ。
【請求項４】
請求項３に記載のサイレンサにおいて、
前記下流側混合流体が流入する流入口の下端は、前記エゼクタの吐出口の下端面の延長線よりも上方に位置することを特徴とするサイレンサ。
【請求項５】
請求項１乃至４に記載のサイレンサにおいて、
前記下流側混合流体が前記戻し流路部に流出する流出口の上端は、前記低温流体が流入する流入口の上端の延長線よりも下方に位置することを特徴とするサイレンサ。
【発明の詳細な説明】
【技術分野】
【０００１】
本願は、高温流体を低温流体と接触させるサイレンサに関する。
【背景技術】
【０００２】
例えば特許文献１に開示されているように、低温流体（低温ドレン）が流通する第１ドレン管（回収主管）と、第１ドレン管に高温流体（高温ドレン又は高温ドレンの再蒸発蒸気）を流出させる第２ドレン管（分岐回収管）とを備えたドレン回収システムが知られている。このシステムでは、第２ドレン管を流通する高温流体が第１ドレン管を流通する低温流体と合流して回収される。
【先行技術文献】
【特許文献】
【０００３】
【特許文献１】特開昭５０−５５７０１号公報
【発明の概要】
【発明が解決しようとする課題】
【０００４】
ところで、前述のようなシステムにおいては、第２ドレン管を流通する高温流体は、再蒸発蒸気を含む場合がある。この再蒸発蒸気が第１ドレン管へ流出すると、再蒸発蒸気が急激に凝縮するために、衝撃や音が発生する。このような蒸気の急凝縮により大きな衝撃や音が発生する現象をウォータハンマという。
【０００５】
本願に開示の技術は、かかる事情に鑑みてなされたものであり、その目的は、ウォータハンマの発生を抑制することにある。
【課題を解決するための手段】
【０００６】
本願のサイレンサは、低温流体と上流側混合流体とを混合し、下流側混合流体を流出させる下流側混合部と、高温流体と前記下流側混合流体とを混合し、前記下流側混合部に向けて前記上流側混合流体を流出させる上流側混合部と、前記下流側混合部から流出した前記下流側混合流体を前記上流側混合部に流入させる戻し流路部とを備え、前記下流側混合部は、前記下流側混合流体の一部を外部に流出させる。
【発明の効果】
【０００７】
本願のサイレンサによれば、ウォータハンマの発生を抑制することができる。
【図面の簡単な説明】
【０００８】
【図１】図１は、実施形態１に係るドレン回収システムの概略構成を示す配管系統図である。
【図２】図２は、実施形態１に係るサイレンサの概略構成を示す断面図である。
【図３】図３は、実施形態２に係るサイレンサの概略構成を示す断面図である。
【図４】図４は、実施形態３に係るサイレンサの概略構成を示す断面図である。
【図５】図５は、図４におけるＡ−Ａ線の断面図である。
【発明を実施するための形態】
【０００９】
以下、本願の実施形態について図面を参照しながら説明する。なお、以下の実施形態は、本質的に好ましい例示であって、本願に開示の技術、その適用物、あるいはその用途の範囲を制限することを意図するものではない。
【００１０】
（実施形態１）
図１は、実施形態１に係るドレン回収システム１の概略構成を示す配管系統図である。本実施形態のドレン回収システム１は、図１に示すように、蒸気管１１と、蒸気使用機器１３と、低温流体が流通する第１ドレン管１４と、高温流体が流通する複数の第２ドレン管１６と、本願の請求項に係るサイレンサ１８とを備えている。例えば、低温流体は、蒸気使用機器１３で発生したドレンであり、高温流体は蒸気管１１で発生したドレン又はドレンの再蒸発蒸気である。
【００１１】
蒸気管１１の上流端は、例えばボイラー設備（図示省略）に接続され、蒸気管１１の下流端は、蒸気使用機器１３に接続されている。ボイラー設備で生成された蒸気が蒸気管１１を介して蒸気使用機器１３に供給される。蒸気管１１には、蒸気の圧力を調節する減圧弁１２が設けられている。蒸気使用機器１３は、例えば熱交換器であり、蒸気管１１から供給された蒸気が対象物に放熱して凝縮し、対象物が加熱される。蒸気は、凝縮することによって低温流体になる。
【００１２】
第１ドレン管１４は、蒸気使用機器１３に接続されている。蒸気使用機器１３で蒸気の凝縮により発生した低温流体は、第１ドレン管１４を介して回収される。第１ドレン管１４には、液体圧送装置１５が設けられている。液体圧送装置１５は、例えば、蒸気使用機器１３で発生した低温流体を第１ドレン管１４を通じて下流側へ圧送するポンプである。液体圧送装置１５では、例えば、蒸気使用機器１３の低温流体が第１ドレン管１４を介して流入し、一時的に貯留される。低温流体の貯留量が所定量になると、液体圧送装置１５に高圧の作動気体が導入され、貯留されていた低温流体が作動気体の圧力によって第１ドレン管１４の下流側へ圧送される。低温流体が圧送されると、再び蒸気使用機器１３から低温流体が液体圧送装置１５に流入して貯留される。こうして、液体圧送装置１５では、低温流体の流入と低温流体の圧送（排出）とが交互に行われる。
【００１３】
複数の第２ドレン管１６は、蒸気管１１とサイレンサ１８とに接続されている。具体的には、第２ドレン管１６の上流端が蒸気管１１に接続され、第２ドレン管１６の下流端がサイレンサ１８に接続されている。複数の第２ドレン管１６は、互いに間隔（例えば、２０〜３０ｍ）を置いて設けられている。蒸気管１１において蒸気の凝縮により発生した高温ドレンは、第２ドレン管１６及びサイレンサ１８を介して第１ドレン管１４に回収される。
【００１４】
第２ドレン管１６の途中には、スチームトラップ１７が設けられている。スチームトラップ１７には、蒸気管１１の蒸気及び蒸気管１１で発生した高温ドレンが第２ドレン管１６を介して流入する。スチームトラップ１７は、蒸気管１１からの蒸気の通過を阻止する一方、その上下流の圧力差（上流側の圧力と下流側の圧力との差）によって、流入した高温ドレンのみを下流側へ自動的に排出するものである。こうして、蒸気管１１で発生した高温ドレンは、第２ドレン管１６及びサイレンサ１８を介して第１ドレン管１４を流通する低温流体と合流し下流側へ流れる。
【００１５】
＜サイレンサの構成＞
サイレンサ１８は、第２ドレン管１６におけるスチームトラップ１７よりも下流側において、第１ドレン管１４との接続部に設けられている。サイレンサ１８は、その内部で高温流体を低温流体と接触させるものである。
【００１６】
図２は、実施形態１に係るサイレンサ１８の概略構成を示す断面図である。サイレンサ１８は、下流側混合部２１と、上流側混合部２２と、戻し流路部２３とを備えている。例えば、下流側混合部２１は、クロス継手により形成され、上流側混合部２２は、Ｔ継手により形成されている。戻し流路部２３は、下流側混合流体を下流側混合部２１から上流側混合部２２に戻すものである。
【００１７】
下流側混合部２１は、低温流体が流入する流入口２７と、低温流体よりも高温の下流側混合流体の一部が流出する流出口２８と、下流側混合流体の残部が戻し流路部２３に流出する流出口３０と、下流側混合流体よりも高温の上流側混合流体が流入する流入口３２とを有する。上下矢印の方向において、流出口３０の上端は、流入口２７の上端から上下矢印に直交する方向に延ばした延長線上にある。流入口２７は、第１ドレン管１４とねじ結合される。流出口２８は、下流側混合流体の一部が外部に流出する第３ドレン管２４とねじ結合される。流出口３０は、異径ブッシング４２及びくい込み継手４３を介して、下流側混合流体の残部が流通する戻し流路部２３の上流端側と接続される（戻し流路部２３においては、下流側混合部２１の側を上流とし、上流側混合部２２の側を下流とする。）。流入口３２は、上流側混合流体が流通する供給流路部３１の下流端側とねじ結合される。供給流路部３１は、上流側混合流体を上流側混合部２２から下流側混合部２１に供給するものである。
【００１８】
上流側混合部２２は、上流側混合流体よりも高温の高温流体がエゼクタ２５を介して流入する流入口３３と、下流側混合流体が流入する流入口３４と、上流側混合流体が流出する流出口３５とを有している。流入口３３は、エゼクタ２５及びくい込み継手２６を介して、第２ドレン管１６と接続される。流入口３４は、異径ブッシング４４及びくい込み継手４５を介して、戻し流路部２３の下流端側と接続される。上下矢印の方向において、流入口３４の下端は、吐出口３７２の下端面から上下矢印に直交する方向に延ばした延長線よりも下方に位置している。流出口３５は、供給流路部３１の上流端側とねじ結合される。
【００１９】
エゼクタ２５は、上流側混合部２２の内部に設けられ、ノズル部材３６と吸込部材３７とを有する。ノズル部材３６は、頭部３６ａと軸部３６ｂとを有する。頭部３６ａは、扁平な略六角柱状に形成されている。軸部３６ｂは、頭部３６ａの下流側に連続して形成され、上下流方向に延びている。軸部３６ｂは、頭部３６ａと同軸の円柱状に形成されている。軸部３６ｂのうち下流側の外周面には、小径の雄ネジが形成されている。吸込部材３７の上流端側の雌ネジは、軸部３６ｂの小径の雄ネジとねじ結合されている。
【００２０】
頭部３６ａ及び軸部３６ｂには、高温流体が流下する貫通路が軸心方向に形成されている。高温流体は、頭部３６ａから軸部３６ｂに向かって流れる。軸部３６ｂのうち上流側の外周面には、大径の雄ネジが形成されている。軸部３６ｂの大径の雄ネジは、流入口３３の雌ネジとねじ結合されている。
【００２１】
第２ドレン管１６の下流端側は、くい込み継手２６を介してノズル部材３６と接続されている。くい込み継手２６には、高温流体が流下する貫通路が軸心方向に形成されている。
【００２２】
ノズル部材３６は、その下流端側において、他部よりも内径が小さくなったノズル部３６１を有する。ノズル部３６１は、第２ドレン管１６から流入してきた高温流体を吸込部材３７内に噴射させる。吸込部材３７は、吸込口３７１と、吐出口３７２とを有する。吸込口３７１は、ノズル部３６１から噴射された高温流体のジェットポンプ効果により、流入口３４から下流側混合流体を吸込部材３７内に吸込む。例えば、吸込口３７１は、吸込部材３７において軸心を中心とする周方向に間隔を空けて４つ設けられている。吐出口３７２は、高温流体と下流側混合流体とが混合した上流側混合流体を流出口３５に向けて吐出する。
【００２３】
下流側混合部２１の流出口３０に接続される異径ブッシング４２の上流側の外周面には、雄ネジが形成されている。異径ブッシング４２の雄ネジは、流出口３０の雌ネジとねじ結合されている。異径ブッシング４２の下流側の内周面には、雌ネジが形成されている。異径ブッシング４２の雌ネジは、くい込み継手４３の上流側の雄ネジとねじ結合されている。くい込み継手４３の下流側に戻し流路部２３の上流端側が接続されている。上流側混合部２２の流入口３４に接続される異径ブッシング４４の下流側の外周面には、雄ネジが形成されている。異径ブッシング４４の雄ネジは、流入口３４の雌ネジとねじ結合されている。異径ブッシング４４の上流側の内周面には、雌ネジが形成されている。異径ブッシング４４の雌ネジは、くい込み継手４５の下流側の雄ネジとねじ結合されている。くい込み継手４５の上流側に戻し流路部２３の下流端側が接続されている。
【００２４】
このように構成されたサイレンサ１８における動作について説明する。スチームトラップ１７から排出された高温ドレンの一部は再蒸発して再蒸発蒸気となる場合がある。これは、蒸気管１１からスチームトラップ１７に流入する蒸気及び高温ドレンは高温であるところ、その高温ドレンがスチームトラップ１７から排出されて圧力が低下することによるものである。このため、サイレンサ１８に再蒸発蒸気（高温流体）が流入し得る。
【００２５】
サイレンサ１８において、第２ドレン管１６からくい込み継手３８を介してノズル部材３６に流入した再蒸発蒸気（高温流体）は、ノズル部３６１から吸込部材３７内に噴射される。噴射された再蒸発蒸気（高温流体）は、吸込口３７１から吸込まれた下流側混合流体と混合して凝縮し、上流側混合流体として、供給流路部３１を介して下流側混合部２１に流れ込む。下流側混合部２１においては、さらに上流側混合流体と低温流体とが混合し、流出口２８又は流出口３０に流れる。
【００２６】
仮に、再蒸発蒸気（高温流体）と低温流体とが直接混合すると、再蒸発蒸気（高温流体）と低温流体との温度差が大きいために、再蒸発蒸気（高温流体）が急凝縮してウォータハンマが発生し得る。
【００２７】
本実施形態のサイレンサ１８においては、再蒸発蒸気（高温流体）は、エゼクタ２５において、低温流体よりも先に下流側混合流体と混合して凝縮し、その後上流側混合流体となって低温流体と混合する。この場合、再蒸発蒸気（高温流体）と下流側混合流体との温度差が小さいので、再蒸発蒸気（高温流体）が凝縮する際の衝撃や音を小さくすることができ、ウォータハンマの発生を抑制することができる。
【００２８】
また、サイレンサ１８においては、高温流体と下流側混合流体とが混合した上流側混合流体は、下流側混合部２１において、低温流体と混合する。上流側混合流体は、低温流体との温度差が小さいので、仮に凝縮したとしても衝撃や音が小さい。このため、ウォータハンマの発生を抑制することができる。
【００２９】
つまり、高温流体は、先ず下流側混合流体と混合され、その後上流側混合流体となって低温流体と混合される。このように、段階的に混合することにより、ウォータハンマの発生を抑制することができる。
【００３０】
なお、上記実施形態１に係るサイレンサ１８においては、流出口３０の上端は、流入口２７の上端から上下矢印に直交する方向に延ばした延長線上にあるとした。しかしながら、流出口３０の上端は、上下矢印の方向において、流入口２７の上端から上下矢印に直交する方向に延ばした延長線よりも下方に位置しても良い。この場合、低温流体の一部は、供給流路部３１の内壁に衝突することにより流出口３０への直進が妨げられて下流側混合部２１付近に滞留するので、低温流体と上流側混合流体とが混合しやすくなる。
【００３１】
また、上記実施形態１に係るサイレンサ１８においては、流入口３４の下端は、吐出口３７２の下端面から上下矢印に直交する方向に延ばした延長線よりも下方に位置しているとした。しかしながら、流入口３４の下端は、上下矢印の方向において、吐出口３７２の下端面から上下矢印に直交する方向に延ばした延長線よりも上方に位置しても良い。この場合、流入口３４と吸込口３７１との距離が近くなるので、戻し流路部２３を流れてきた下流側混合流体が、流入口３４から吸込口３７１へ吸込まれやすくなる。また、流入口３４と吐出口３７２との距離が遠くなるので、吐出口３７２から吐出された上流側混合流体が、流入口３４から戻し流路部２３に流入し難くなる。また、流入口３４の下端は、上下矢印の方向において、吸込口３７１の下端から上下矢印に直交する方向に延ばした延長線の近傍に位置することが好ましい。この場合、流入口３４と吸込口３７１との距離がさらに近くなるので、戻し流路部２３を流れてきた下流側混合流体が、流入口３４から吸込口３７１へさらに吸込まれやすくなる。また、流入口３４と吐出口３７２との距離がさらに遠くなるので、吐出口３７２から吐出された上流側混合流体が、流入口３４から戻し流路部２３にさらに流入し難くなる。
【００３２】
（実施形態２）
図３は、実施形態２に係るサイレンサ１９の概略構成を示す断面図である。本実施形態のサイレンサ１９は、上記実施形態１のサイレンサにおいて、上流側混合部と下流側混合部と供給流路部とを一体に形成したものである。尚、本実施形態において、上記実施形態１と同一の部材には同一の参照番号を付して詳細な説明は省略する。
【００３３】
サイレンサ１９は、下流側混合部５１と、上流側混合部５２と、戻し流路部２３と、供給流路部５３とを備えている。
【００３４】
下流側混合部５１は、低温流体が流入する流入口５４と、下流側混合流体の一部が流出する流出口５５と、下流側混合流体の残部が戻し流路部２３に流出する流出口５６とを有している。上下矢印の方向において、流出口５６の上端は、流入口５４の上端から上下矢印に直交する方向に延ばした延長線上にある。上流側混合部５２は、高温流体がエゼクタ２５を介して流入する流入口５８と、下流側混合流体が流入する流入口５９とを有している。上下矢印の方向において、流入口５９の下端は、吐出口３７２の下端面から上下矢印に直交する方向に延ばした延長線よりも下方に位置している。供給流路部５３は、上流側混合流体を上流側混合部５２から下流側混合部５１に供給するものである。
【００３５】
本実施形態のサイレンサ１９においては、上流側混合部５１と下流側混合部５２と供給流路部５３とを一体に形成したので、部品点数を少なくすることができる。
【００３６】
なお、上記実施形態２に係るサイレンサ１９においては、流出口５６の上端は、流入口５４の上端から上下矢印に直交する方向に延ばした延長線上にあるとした。しかしながら、流出口５６の上端は、上下矢印の方向において、流入口５４の上端から上下矢印に直交する方向に延ばした延長線よりも下方に位置しても良い。この場合、低温流体の一部は、供給流路部５３の内壁に衝突することにより流出口５６への直進が妨げられて下流側混合部５１付近に滞留するので、低温流体と上流側混合流体とが混合しやすくなる。
【００３７】
また、上記実施形態２に係るサイレンサ１９においては、流入口５９の下端は、吐出口３７２の下端面から上下矢印に直行する方向に延ばした延長線よりも下方に位置しているとした。しかしながら、流入口５９の下端は、上下矢印の方向において、吐出口３７２の下端から上下矢印に直交する方向に延ばした延長線よりも上方に位置しても良い。この場合、流入口５９と吸込口３７１との距離が近くなるので、戻し流路部２３を流れてきた下流側混合流体が、流入口５９から吸込口３７１へ吸込まれやすくなる。また、流入口５９と吐出口３７２との距離が遠くなるので、吐出口３７２から吐出された上流側混合流体が、流入口５９から戻し流路部２３に流入し難くなる。また、流入口５９の下端は、上下矢印の方向において、吸込口３７１の下端から上下矢印に直交する方向に延ばした延長線の近傍に位置することが好ましい。この場合、流入口５９と吸込口３７１との距離がさらに近くなるので、戻し流路部２３を流れてきた下流側混合流体が、流入口５９から吸込口３７１へさらに吸込まれやすくなる。また、流入口５９と吐出口３７２との距離がさらに遠くなるので、吐出口３７２から吐出された上流側混合流体が、流入口５９から戻し流路部２３にさらに流入し難くなる。
【００３８】
（実施形態３）
図４は、実施形態３に係るサイレンサ６１の概略構成を示す断面図である。図５は、図４におけるＡ−Ａ線の断面図である。本実施形態のサイレンサ６１は、上記実施形態２のサイレンサにおいて、上流側混合部と下流側混合部と供給流路部と戻し流路部とを一体に形成したものである。尚、本実施形態において、上記実施形態２と同一の部材には同一の参照番号を付して詳細な説明は省略する。
【００３９】
サイレンサ６１は、下流側混合部６２と、上流側混合部６３と、戻し流路部６４と、供給流路部６５とを備えている。戻し流路部６４は、上流側混合部６３から下流側混合部６２に延び、図５にも示すように略円柱状に形成されている。供給流路部６５は、上流側混合部６３から下流側混合部６２に延び、図５にも示すように略円柱状に形成されている。供給流路部６５は、戻し流路部６４よりも大径に形成されている。戻し流路部６４と供給流路部６５との間には、上下矢印に平行な方向に延びる隔壁部材６６が設けられている。隔壁部材６６は、戻し流路部６４と供給流路部６５とを仕切るものである。上下矢印の方向において、隔壁部材６６の上端は、吐出口３７２の下端面から上下矢印に直交する方向に延ばした延長線よりも上方に位置し、吸込口３７１の下端から上下矢印に直交する方向に延ばした延長線よりも下方に位置している。また、上下矢印の方向において、隔壁部材６６の下端は、流入口６７の上端から上下矢印に直交する方向に延ばした延長線よりも下方に位置し、流入口６７の軸中心から上下矢印に直交する方向に延ばした延長線上にある。
【００４０】
下流側混合部６２は、低温流体が流入する流入口６７と、下流側混合流体の一部が流出する流出口６８と、下流側混合流体の残部が戻し流路部６４に流出する流出口６９とを有している。流出口６９は、上下矢印の方向において、隔壁部材６６の下端下方に形成されている。上流側混合部６３は、高温流体がエゼクタ２５を介して流入する流入口７１と、下流側混合流体が流入する流入口７２とを有している。流入口７２は、上下矢印の方向において、隔壁部材６６の上端上方に形成されている。供給流路部６５は、上流側混合流体を上流側混合部６３から下流側混合部６２に供給するものである。
【００４１】
本実施形態のサイレンサ６１においては、流入口７２の下端は、上下矢印の方向において、吐出口３７２の下端面から上下矢印に直交する方向に延ばした延長線よりも上方に位置している。この場合、流入口７２と吸込口３７１との距離が近くなるので、戻し流路部６４を流れてきた下流側混合流体が、流入口７２から吸込口３７１へ吸込まれやすくなる。また、流入口７２と吐出口３７２との距離が遠くなるので、吐出口３７２から吐出された上流側混合流体が、流入口７２から戻し流路部６４に流入し難くなる。また、流入口７２の下端は、上下矢印の方向において、吸込口３７１の下端から上下矢印に直交する方向に延ばした延長線の近傍に位置することが好ましい。この場合、流入口７２と吸込口３７１との距離がさらに近くなるので、戻し流路部６４を流れてきた下流側混合流体が、流入口７２から吸込口３７１へさらに吸込まれやすくなる。また、流入口７２と吐出口３７２との距離がさらに遠くなるので、吐出口３７２から吐出された上流側混合流体が、流入口７２から戻し流路部６４にさらに流入し難くなる。
【００４２】
また、本実施形態のサイレンサ６１においては、流出口６９の上端は、上下矢印の方向において、流入口６７の上端から上下矢印に直交する方向に延ばした延長線よりも下方に位置し、流入口６７の軸中心から上下矢印に直交する方向に延ばした延長線上にある。この場合、低温流体の一部は、隔壁部材６６に衝突することにより流出口５６への直進が妨げられて下流側混合部６２付近に滞留するので、低温流体と上流側混合流体とが混合しやすくなる。
【００４３】
以上のように、上記実施形態のサイレンサ１８又は１９又は６１は、低温流体と上流側混合流体とを混合し、下流側混合流体を流出させる下流側混合部２１又は５１又は６２と、高温流体と下流側混合流体とを混合し、下流側混合部２１又は５１又は６２に向けて下流側混合流体を流出させる上流側混合部２２又は５２又は６３と、下流側混合部２１又は５１又は６２から流出した下流側混合流体を上流側混合部２２又は５２又は６３に流入させる戻し流路部２３又は６４とを備え、下流側混合部２１又は５１又は６２は、下流側混合流体の一部を外部に流出させる。
【００４４】
上記の構成によれば、高温流体は、上流側混合部２２又は５２又は６３において、低温流体よりも先に下流側混合流体と混合して凝縮し、その後上流側混合流体となって、下流側混合部２１又は５１又は６２において、上流側混合流体が低温流体と混合する。この場合、高温流体と下流側混合流体との温度差が小さいので、高温流体が凝縮する際の衝撃や音を小さくすることができる。また、上流側混合流体と低温流体との温度差が小さいので、上流側混合流体の再蒸発蒸気が凝縮する際の衝撃や音を小さくすることができる。つまり、高温流体は、先ず下流側混合流体と混合され、その後上流側混合流体となって低温流体と混合される。このように、温度差を小さくした流体同士を段階的に混合することにより、ウォータハンマの発生を抑制することができる。
【００４５】
また、上記実施形態のサイレンサ１８又は１９又は６１では、高温流体は、ドレン又はドレンの再蒸発蒸気である。
【００４６】
高温流体は、低温流体と直接混合すると急凝縮しやすい。上記の構成によれば、高温流体は、下流側混合流体と混合した後に上流側混合流体として低温流体と混合する。このように、高温流体を低温流体と段階的に混合させることが特に有効となる。
【００４７】
また、上記実施形態のサイレンサ１８又は１９又は６１では、上流側混合部２２又は５２又は６３は、エゼクタ２５を含み、エゼクタ２５は、高温流体で駆動し、下流側混合流体を吸引するものである。
【００４８】
上記の構成によれば、エゼクタ２５において、高温流体によるジェットポンプ効果を利用して下流側混合流体を吸引するので、高温流体と下流側混合流体とが混合しやすくなる。そのため、高温流体の凝縮作用を促進させることができる。
【００４９】
また、上記実施形態のサイレンサ１８又は１９又は６１では、下流側混合流体が流入する流入口３４又は５９又は７２の下端は、エゼクタ２５の吐出口３７２の下端の延長線よりも上方に位置するものである。
【００５０】
上記の構成によれば、流入口３４又は５９又は７２と吸込口３７１との距離が近くなるので、戻し流路部２３又は６４を流れてきた下流側混合流体が、流入口３４又は５９又は７２から吸込口３７１へ吸込まれやすくなる。また、流入口３４又は５９又は７２と吐出口３７２との距離が遠くなるので、吐出口３７２から吐出された上流側混合流体が流入口３４又は５９又は７２から戻し流路部２３又は６４に流入し難くなる。
【００５１】
また、上記実施形態のサイレンサ１８又は１９又は６１では、下流側混合流体が戻し流路部２３又は６４に流出する流出口３０又は５６又は６９の上端は、低温流体が流入する流入口２７又は５４又は６７の上端の延長線よりも下方に位置するものである。
【００５２】
上記の構成によれば、低温流体の一部は、供給流路部３１又は５３の内壁又は隔壁部材６６に衝突することにより流出口３０又は５６又は６９への直進が妨げられて下流側混合部２１又は５１又は６２付近に滞留するので、低温流体と上流側混合流体とが混合しやすくなる。
【００５３】
（その他の実施形態）
本願に開示の技術は、上記実施形態において以下のような構成としてもよい。例えば、上記実施形態１において供給流路部３１は、下流側混合部２１と一体に形成して上流側混合部２２に接続したり、上流側混合部２２と一体に形成して下流側混合部２１に接続したりしてもよい。
【産業上の利用可能性】
【００５４】
本願に開示の技術は、高温流体を低温流体と接触させるサイレンサについて有用である。
【符号の説明】
【００５５】
１８,  １９,  ６１      サイレンサ
２１,  ５１,  ６２      下流側混合部
２２,  ５２,  ６３      上流側混合部
２３,  ６４      戻し流路部
２５      エゼクタ
２７,  ５４,  ６７      低温流体が流入する流入口
３０,  ５６,  ６９      下流側混合流体が戻し流路部に流出する流出口
３４,  ５９,  ７２      下流側混合流体が流入する流入口
３７１      エゼクタの吸込口
３７２      エゼクタの吐出口
【図１】
2019039585.tif 000003
【図２】
2019039585.tif 000004
【図３】
2019039585.tif 000005
【図４】
2019039585.tif 000006
【図５】
2019039585.tif 000007